(57)【特許請求の範囲】
【請求項１】
複数の媒体を載置する媒体載置面を有する媒体載置部と、
前記媒体載置面に載置された前記媒体の、前記媒体載置面に対向する面に接触しつつ回転することにより、前記媒体を給送する第１給送ローラーと、
前記第１給送ローラーを前記媒体に向けて付勢する付勢部材と、を備え、
前記媒体載置部に載置された複数の前記媒体による前記第１給送ローラーに対する押圧荷重が所定以上になった際に、前記第１給送ローラーが、前記付勢部材による付勢力に抗して変位する構成であり、
前記第１給送ローラーの媒体搬送方向下流側に設けられる第２給送ローラーと、
前記第２給送ローラーとの間で前記媒体をニップして分離する分離ローラーと、を備え、
前記第２給送ローラーと前記分離ローラーが、前記第１給送ローラーの変位に連動して、該第１給送ローラーと同方向に変位可能に構成されている、
ことを特徴とする媒体給送装置。
【請求項２】
請求項１に記載の媒体給送装置において、前記付勢部材が、前記第１給送ローラーの回転軸に設けられている、ことを特徴とする媒体給送装置。
【請求項３】
請求項１または請求項２に記載の媒体給送装置において、前記付勢部材の付勢力が、前記媒体載置部に載置される前記媒体の枚数に基づいて設定されている、ことを特徴とする媒体給送装置。
【請求項４】
請求項１から請求項３のいずれか一項に記載の媒体給送装置において、前記第１給送ローラーの回転軸を回転させる駆動源の動力を前記回転軸に伝達する手段が、ベルト駆動機構によるものである、ことを特徴とする媒体給送装置。
【請求項５】
請求項１から請求項４のいずれか一項に記載の媒体給送装置において、
前記第１給送ローラーの回転軸を受けるとともに、前記回転軸の、前記付勢部材による付勢方向への移動を規制する軸受部を備え、
前記軸受部が、前記媒体載置面を構成する部材と一体に形成されている、ことを特徴とする媒体給送装置。
【請求項６】
請求項１から請求項５のいずれか一項に記載の媒体給送装置において、前記第１給送ローラーが回転軸方向において１つ設けられている、ことを特徴とする媒体給送装置。
【請求項７】
請求項１に記載の媒体給送装置において、前記第１給送ローラーと前記第２給送ローラーの相対位置を固定する第１固定部と、
前記第２給送ローラーと前記分離ローラーの相対位置を固定する第２固定部と、を備える、
ことを特徴とする媒体給送装置。
【請求項８】
媒体を読み取る読取部と、
前記媒体を前記読取部に向けて給送する、請求項１から請求項７のいずれか一項に記載の媒体給送装置と、を備える、
ことを特徴とする画像読取装置。
【発明の詳細な説明】
【技術分野】
【０００１】
本発明は、媒体を搬送する媒体給送装置、および媒体給送装置を備える画像読取装置に関する。
【背景技術】
【０００２】
画像読取装置の一例であるスキャナーには、原稿の自動送り装置（ＡＤＦ（Auto
Document Feeder）とも呼ばれる）が設けられ、複数枚の原稿の自動送りと読み込みとを行える様に構成される場合がある。その様な原稿自動送り装置の構成としては、特許文献１に示される様に、原稿を載置するトレイと、当該トレイにセットされた原稿の面に接触して回転することにより、前記原稿を送り出す送りローラー（特許文献１におけるセットローラ）と、を備えたものがある。  
送りローラーは、トレイに積載された複数枚の原稿（用紙束）のうち、下側の用紙、すなわちトレイの載置面側の用紙から順に送るように構成されている。
【先行技術文献】
【特許文献】
【０００３】
【特許文献１】特許４８２０３１４号公報
【発明の概要】
【発明が解決しようとする課題】
【０００４】
このような構成では、トレイにセットされる原稿の枚数が多いほど、用紙自重により送りローラーにかかる荷重が大きくなる。  
ここで、送りローラーによる用紙の搬送力は、（用紙と送りローラー間の摩擦力）×（用紙束の下側から１枚目の用紙下面と送りローラー間の押圧荷重）であるので、用紙自重による荷重が増えると、送りローラーによる用紙の搬送力も増加する。  
このことにより、用紙束の下側から１枚目の用紙の搬送によって、２枚目以降の用紙が連れられて搬送される力（以下において、「連れ給紙力」と称する）が増加し、用紙が重送され易くなる。尚、連れ給紙力は、（押圧荷重）×（用紙と用紙の間の摩擦係数）である。
【０００５】
また、送りローラーの用紙搬送方向下流側に設けられる下流側送りローラーと、この下流側送りローラーとの間で原稿をニップして分離する分離ローラーとを備える分離部が設けられる場合がある。  
送りローラーによる給送時の連れ給紙力が増加すると、分離ローラーから受ける抵抗を連れ給紙力が上回り易くなり、分離部において用紙が分離されずに重送される虞が増す。
【０００６】
上記問題点に鑑み、本発明の目的は、原稿である用紙のセット枚数が多い場合においても、送りローラーによる用紙の重送の虞を低減または回避し、用紙を適切に搬送することにある。
【課題を解決するための手段】
【０００７】
上記課題を解決するため、本発明の第１の態様に係る媒体給送装置は、複数の媒体を載置する媒体載置面を有する媒体載置部と、前記媒体載置面に載置された前記媒体の、前記媒体載置面に対向する面に接触しつつ回転することにより、前記媒体を給送する給送ローラーと、前記給送ローラーを前記媒体に向けて付勢する付勢部材と、を備え、前記媒体載置部に載置された複数の前記媒体による前記給送ローラーに対する押圧荷重が所定以上になった際に、前記給送ローラーが、前記付勢部材による付勢力に抗して変位する構成である、ことを特徴とする。
【０００８】
本態様によれば、前記媒体載置部の媒体載置面側の媒体から順に給送する構成の媒体給送装置において、前記媒体載置部に載置された複数の前記媒体による前記給送ローラーに対する押圧荷重が所定以上になった際に、前記給送ローラーが、前記付勢部材による付勢力に抗して変位するので、前記所定の押圧荷重以上の力を前記付勢部材により吸収し、前記給送ローラーにかかる力を抑制することができる。以って、給送ローラーによる媒体の搬送力が所定以上に大きくなることを抑制し、重送の虞を低減することができる。  
尚、前記付勢部材によって前記給送ローラーにかかる力が抑制される機構については後に詳述する。
【０００９】
本発明の第２の態様に係る媒体給送装置は、第１の態様において、前記付勢部材が、前記給送ローラーの回転軸に設けられている、ことを特徴とする。
【００１０】
本態様によれば、前記給送ローラーを前記媒体に向けて付勢する構成を容易に実現できる。
【００１１】
本発明の第３の態様に係る媒体給送装置は、第１の態様または第２の態様において、前記付勢部材の付勢力が、前記媒体載置部に載置される前記媒体の枚数に基づいて設定されている、ことを特徴とする。
【００１２】
本態様によれば、前記媒体載置部に所定枚数以上の媒体が載置されたときに、前記給送ローラーが変位する構成とすることができる。
【００１３】
本発明の第４の態様に係る媒体給送装置は、第１の態様から第３の態様のいずれかにおいて、前記回転軸を回転させる駆動源の動力を前記回転軸に伝達する手段が、ベルト駆動機構によるものである、ことを特徴とする。
【００１４】
給送ローラーが前記回転軸に設けられた前記付勢部材による付勢力に抗して変位すると、前記回転軸も変位する。本態様によれば、変位する回転軸に駆動源の動力を伝達する構成を、容易に実現することができる。
【００１５】
本発明の第５の態様に係る媒体給送装置は、第１の態様から第４の態様のいずれかにおいて、前記回転軸の付勢方向への移動を規制する軸受部を備え、前記軸受部が、前記媒体載置面を構成する部材と一体に形成されている、ことを特徴とする。
【００１６】
本態様によれば、前記媒体載置面に対する前記回転軸の位置を、高精度に位置決めすることができる。以って、前記媒体載置面に対して前記給送ローラーを高精度に配置することができる。
【００１７】
本発明の第６の態様に係る媒体給送装置は、第１の態様から第５の態様のいずれかにおいて、前記給送ローラーの媒体搬送方向下流側に設けられる下流側給送ローラーと、前記下流側給送ローラーとの間で媒体をニップして分離する分離ローラーと、を備え、前記下流側給送ローラーと前記分離ローラーが、前記給送ローラーの変位に連動して、該給送ローラーと同方向に変位可能に構成されている、ことを特徴とする。
【００１８】
本態様によれば、前記給送ローラーと、前記下流側給送ローラーと前記分離ローラーによる媒体のニップ部の相対位置の変化を抑制することができる。以って、媒体の安定した搬送性を維持することができる。
【００１９】
本発明の第７の態様に係る媒体給送装置は、第６の態様において、前記給送ローラーが回転軸方向において１つ設けられている、ことを特徴とする。
【００２０】
本発明の第８の態様に係る画像読取装置は、媒体を読み取る読取部と、前記媒体を前記読取部に向けて給送する、第１の態様から第７の態様のいずれかの媒体給送装置と、を備える、ことを特徴とする。
【００２１】
本態様によれば、媒体を読み取る読取部を備えた画像読取装置において、前記媒体を前記読取部に向けて給送する際に、第１の態様から第７の態様のいずれかと同様の作用効果が得られる。
【図面の簡単な説明】
【００２２】
【図１】本発明に係るスキャナーを示す外観斜視図。
【図２】本発明に係るスキャナーにおける給送状態を示す斜視図。
【図３】本発明に係るスキャナーにおいて上部ユニットを下部ユニットに対して開状態とした場合の斜視図。
【図４】本発明に係るスキャナーにおける給送経路を示す側断面図。
【図５】本発明に係る媒体給送装置の要部斜視図。
【図６】図５における媒体載置部を取った状態を示す図。
【図７】第１給送ローラーの変位について説明する図であり、（Ａ）は、所定枚数より少ない枚数の用紙が載置された状態を示す図、（Ｂ）は、所定枚数の用紙が載置された状態を示す図、（Ｃ）は、所定枚数より多い枚数の用紙が載置された状態を示す図。
【図８】媒体載置部に載置される用紙枚数と第１給送ローラーにかかる力の関係を説明する図。
【図９】本発明の他の実施例に係る媒体給送装置における給送ローラーの構成を示す概略平面図。
【図１０】本発明の他の実施例に係る給送ローラーの構成を示す概略側面図。
【発明を実施するための形態】
【００２３】
［実施例１］
まず、本発明の一実施例に係る媒体給送装置を備える画像読取装置の概略について説明する。本実施例の画像読取装置の一例として、媒体の表面及び裏面の少なくとも一面を読み取り可能なドキュメントスキャナー（以下、単にスキャナー１０と称する）を例に挙げる。  
図１は、本発明に係るスキャナーを示す外観斜視図である。図２は、本発明に係るスキャナーにおける給送状態を示す斜視図である。図３は、本発明に係るスキャナーにおいて上部ユニットを下部ユニットに対して開状態とした場合の斜視図である。図４は、本発明に係るスキャナーにおける給送経路を示す側断面図である。
【００２４】
図５は、本発明に係る媒体給送装置の要部斜視図である。図６は、図５における媒体載置部を取った状態を示す図である。図７は、第１給送ローラーの変位について説明する図であり、図７（Ａ）は、所定枚数より少ない枚数の用紙が載置された状態を示す図、図７（Ｂ）は、所定枚数の用紙が載置された状態を示す図、図７（Ｃ）は、所定枚数より多い枚数の用紙が載置された状態を示す図である。図８は、媒体載置部に載置される用紙枚数と第１給送ローラーにかかる力の関係を説明する図である。
【００２５】
＜スキャナーの概要＞
本発明に係る画像読取装置としてのスキャナー１０は、図１に示すように、下部ユニット１２と、上部ユニット１４と、ペーパーサポート１６と、排紙トレイ１８とを備えている。
【００２６】
尚、各図において示すＸ−Ｙ−Ｚ座標系はＸ方向が装置幅方向であり用紙幅方向、Ｙ方向が装置奥行方向であり用紙搬送方向である。Ｚ方向は装置高さ方向を示している。また、＋Ｙ方向側を装置前面側とし、−Ｙ方向側を装置背面側とする。また、装置前面側から見て右側を＋Ｘ方向、左側を−Ｘ方向とする。また、＋Ｚ方向を装置上方（上部、上面等を含む）とし、−Ｚ方向側を装置下方（下部、下面等を含む）とする。  
また、スキャナー１０において、媒体としての用紙Ｐは各図の＋Ｙ方向へ搬送される構成である。以下において、用紙Ｐが搬送されていく方向（＋Ｙ方向側）を「下流」といい、これと反対の方向（−Ｙ方向側）を「上流」という。
【００２７】
上部ユニット１４は下部ユニット１２に対して用紙搬送方向下流側を回動支点として回動可能に下部ユニット１２に取り付けられている。上部ユニット１４は、下部ユニット１２に対して閉じて下部ユニット１２とともに用紙Ｐの用紙搬送経路を構成する閉状態（図２参照）と、下部ユニット１２に対して装置前面側に回動して用紙Ｐの用紙搬送経路を露呈させて用紙Ｐの紙詰まりの処理を容易に行うことができる開状態（図３参照）とを取り得る。
【００２８】
また、上部ユニット１４の上部を開閉するペーパーサポート１６が設けられている。  
ペーパーサポート１６は、下部ユニット１２の背面側の上部に対して回動可能に下部ユニット１２に取り付けられている。ペーパーサポート１６は、図１に示すように上部ユニット１４の上部及び給送口２０（図２）を覆う非給送状態と、図１の非給送状態から図２に示すように装置背面側に回動し、給送口２０を開放するとともにペーパーサポート１６の裏面（後述する支持面１６ａ）が用紙Ｐの媒体載置部２２に連なる給送状態とを取り得る。
【００２９】
また、下部ユニット１２の装置前面側には用紙Ｐを排出する排出口２４が設けられている。また、下部ユニット１２は、排出口２４から装置前面側に向けて引き出し可能な排紙トレイ１８を備えている。排紙トレイ１８は、下部ユニット１２の底部に収納された状態（図１参照）と、装置前面側に引き出された状態（図２参照）とを取り得る。また、本実施形態において排紙トレイ１８は複数のトレイ部材を連結して構成されており、排出される用紙Ｐの長さに応じて、排出口２４からの引き出し長さを調整可能である。
【００３０】
＜スキャナーにおける給送経路について＞
次に、図４を参照して、スキャナー１０における用紙搬送経路について説明する。  
給送口２０にセットされる用紙Ｐは、媒体給送装置２５によって給送されて、後述する画像読取部３４に向けて送られる。本実施形態の媒体給送装置２５は、第１給送ローラー２６、第２給送ローラー２８、分離ローラー３０、及び搬送ローラー対３２を備えている。  
用紙Ｐは、その先端側（下流側）が媒体載置部２２の媒体載置面２１ａに支持され、後端側（上流側）が下部ユニット１２に対して装置背面側に回動した姿勢にあるペーパーサポート１６の裏面である支持面１６ａによって支持されて載置される。給送口２０には、複数枚の用紙Ｐをセットすることができる。
【００３１】
媒体載置部２２に載置された用紙Ｐは、媒体載置部２２が設けられる下部ユニット１２に対して回転可能に設けられた「給送ローラー」としての第１給送ローラー２６によりピックアップされて下流側（＋Ｙ方向側）に給送される。具体的には、用紙Ｐの媒体載置面２２ａに対向する面に、第１給送ローラー２６が接触しつつ回転することにより、用紙Ｐを下流側に向けて給送する。したがって、スキャナー１０において複数枚の用紙Ｐを給送口２０にセットした場合には、媒体載置部２２の媒体載置面２２ａ側の用紙Ｐから順に下流側に向けて給送される。
【００３２】
尚、媒体載置部２２は、第１給送ローラー２６よりも上流側において、給送口２０にセットされる用紙Ｐを支持するとともに、第１給送ローラー２６よりも下流側においては、第１給送ローラー２６により給送される用紙Ｐの搬送路としての役割を果たしている。  
また、図示しないが第１給送ローラー２６が設けられた位置には用紙戻しレバーが設けられ、用紙Ｐの重送を防止している。
【００３３】
第１給送ローラー２６の下流側には、下部ユニット１２に「下流側給送ローラー」としての第２給送ローラー２８が回転可能に設けられ、上部ユニット１４に分離ローラー３０が回転可能に設けられている。尚、本実施形態において分離ローラー３０には所定の回転抵抗が与えられている。そして、第１給送ローラー２６により２以上の用紙Ｐが給送された場合には、分離ローラー３０により分離され、第２給送ローラー２８と接している用紙Ｐのみが第２給送ローラー２８と分離ローラー３０とにニップされて給送方向下流側に給送される。  
尚、第１給送ローラー２６及び第２給送ローラー２８の構成については、後に更に詳述する。
【００３４】
第２給送ローラー２８の搬送方向下流側には搬送ローラー対３２、「読み取り部」としての画像読取部３４及び排出ローラー対３６が設けられている。第２給送ローラー２８及び分離ローラー３０によりニップされて搬送方向下流側に給送された用紙Ｐは搬送ローラー対３２にニップされて、搬送ローラー対３２の下流側に位置する画像読取部３４に搬送される。  
搬送ローラー対３２は下部ユニット１２に設けられた搬送駆動ローラー３２ａと、上部ユニット１４に設けられ、搬送駆動ローラー３２ａに対して従動回転する搬送従動ローラー３２ｂを備えている。
【００３５】
画像読取部３４は、上部ユニット１４側に設けられた上部画像読取センサー３８と、下部ユニット１２側に設けられた下部画像読取センサー４０とを備えている。本実施形態において、上部画像読取センサー３８及び下部画像読取センサー４０は一例として密着型イメージセンサーモジュール（ＣＩＳＭ）として構成されている。
【００３６】
用紙Ｐは、画像読取部３４において用紙Ｐの表面及び裏面の少なくとも一方の面の画像を読み取られた後、画像読取部３４の搬送方向下流側に位置する排出ローラー対３６にニップされて排出口２４から排紙トレイ１８に向けて排出される。尚、図２における一点鎖線は用紙Ｐの給送経路を示している。
【００３７】
また、本実施形態において排出ローラー対３６は下部ユニット１２に設けられた排出駆動ローラー３６ａと、上部ユニット１４に設けられ、排出駆動ローラー３６ａに対して従動回転する排出従動ローラー３６ｂを備えている。
【００３８】
また、本実施形態において第１給送ローラー２６、第２給送ローラー２８、搬送駆動ローラー３２ａ及び排出駆動ローラー３６ａは、下部ユニット１２内に設けられた少なくとも１つの駆動源（不図示）により回転駆動させられる。
【００３９】
＜第１給送ローラー及び第２給送ローラーの構成について＞
次いで、図５及び図６を参照して媒体給送装置２５における第１給送ローラー２６及び第２給送ローラー２８の構成について説明する。
【００４０】
本実施形態において媒体載置部２２には、第１給送ローラー２６及び第２給送ローラー２８が配置されている。第１給送ローラー２６及び第２給送ローラー２８は、媒体載置部２２の媒体載置面２２ａ（第１給送ローラー２６よりも下流側においては用紙Ｐの搬送路となる面）に対して第１給送ローラー２６及び第２給送ローラー２８の一部が突出するように配置されている（図５参照）。
【００４１】
第１給送ローラー２６は、図５に示すように、媒体載置部２２において装置幅方向（Ｘ軸方向）に所定の間隔をおいて２つ設けられている。また、第２給送ローラー２８も同様に、媒体載置部２２における装置幅方向に所定の間隔をおいて２つ設けられている。
【００４２】
第１給送ローラー２６は回転軸４２に軸支されており、回転軸４２は、回転軸４２の付勢方向への移動を規制する軸受部４６に設けられている。  
軸受部４６は、媒体載置部２２に一体に形成されている。軸受部４６が媒体載置部２２と一体であることにより、媒体載置面２２ａに対する回転軸４２の位置を、高精度に位置決めすることができる。以って、第１給送ローラー２６を媒体載置面２２ａに対して精度高く配置することができる。  
尚、軸受部４６は、媒体載置部２２と別個に設けることも勿論可能である。
【００４３】
また、回転軸４２には、第１給送ローラー２６を用紙Ｐに向けて付勢する「付勢部材」としての圧縮バネ４４が設けられている。本実施形態において、回転軸４２は圧縮バネ４４によって＋Ｚ方向に付勢されており、軸受部４６によって付勢方向（＋Ｚ方向）への移動が規制されている。
【００４４】
そして、媒体載置部２２に載置された複数の用紙Ｐによる第１給送ローラー２６に対する押圧荷重Ｗ（図７）が所定以上になった際に、第１給送ローラー２６が、圧縮バネ４４による付勢力Ｆ（図７）に抗して変位する、すなわち、−Ｚ方向に移動するように構成されている。
【００４５】
本実施形態においては、圧縮バネ４４の付勢力Ｆは、媒体載置部２２に載置される用紙Ｐの枚数に基づいて設定されおり、第１給送ローラー２６に所定枚数Ｎ以上の用紙Ｐが載ったときに第１給送ローラー２６が−Ｚ方向に変位するようになっている。
【００４６】
以下において、第１給送ローラー２６が変位する構成について図７及び図８を用いて説明する。  
図７（Ａ）に示すように、媒体載置部２２に載置される用紙Ｐの枚数ｎが所定枚数Ｎより少ないｎ１である場合（ｎ＝ｎ１＜Ｎ）、載置された複数の用紙Ｐによる第１給送ローラー２６に対する押圧荷重Ｗ１は、図８に示すように、圧縮バネ４４の付勢力Ｆよりも小さい（Ｗ１＜Ｆ）。このとき、第１給送ローラー２６の回転軸４２は、軸受部４６によって＋Ｚ方向への移動が規制された初期状態のままで、第１給送ローラー２６は変位しない。
【００４７】
また、図７（Ｂ）は、媒体載置部２２に載置される用紙Ｐの枚数ｎが所定枚数Ｎと同じ枚数ｎ２である場合（ｎ＝ｎ２＝Ｎ）であって、用紙Ｐによる第１給送ローラー２６に対する押圧荷重Ｗ２が圧縮バネ４４の付勢力Ｆとつりあっている状態（Ｗ２＝Ｆ、図８）であり、このときも第１給送ローラー２６は変位しない。
【００４８】
しかし、媒体載置部２２に載置される用紙Ｐの枚数ｎが所定枚数Ｎを超える枚数ｎ３であるとき［（ｎ＝ｎ３＞Ｎ）、図７（Ｃ）］に、第１給送ローラー２６が固定されている場合には、図８中の符号Ｓで示すように、用紙Ｐによって第１給送ローラー２６に対してかかる押圧荷重Ｗ３が圧縮バネ４４の付勢力Ｆを超える（Ｗ３＞Ｆ）。
【００４９】
このとき、本実施形態においては、第１給送ローラー２６の回転軸４２が圧縮バネ４４の付勢力Ｆに抗して−Ｚ方向に変位して、第１給送ローラー２６も−Ｚ方向に変位することができる。以って、付勢力Ｆを超える力を圧縮バネ４４により吸収し、図８の符号Ｔに示すように第１給送ローラー２６にかかる力を抑えることができる。  
このことによって、第１給送ローラー２６による用紙Ｐの搬送力が所定以上に大きくなることを抑制し、重送の虞を低減することができる。  
尚、図７（Ｃ）において、第１給送ローラー２６の変位前の位置を点線で示している。
【００５０】
本実施例においては、回転軸４２を回転させる駆動源４８の動力を回転軸４２に伝達する伝達手段として、ベルト駆動機構５０が用いられている。駆動源４８から回転軸４２への動力の伝達をベルト駆動機構５０とすることによって、変位する回転軸４２に駆動源４８の動力を伝達する構成を容易に実現することができる。尚、前記伝達手段として他の機構、例えば、ギア（歯車）を用いた駆動機構等を用いることも可能である。
【００５１】
また、第２給送ローラー２８の回転軸に対し、第１給送ローラー２６と同様に＋Ｚ方向に付勢する付勢部材を設け、第２給送ローラー２８に所定以上の荷重がかかった場合に、第２給送ローラー２８が−Ｚ方向に変位するように構成することもできる。その場合には、分離ローラー３０も第２給送ローラー２８に同期して変位するように構成することが望ましい。
【００５２】
［実施例２］
実施例２では、図９及び図１０に基づき、媒体給送装置における第１給送ローラーの他の例について説明する。  
図９は、本発明の他の実施例に係る媒体給送装置における給送ローラーの構成を示す概略平面図である。図１０は、本発明の他の実施例に係る給送ローラーの構成を示す概略側面図である。本実施例において実施例１と同一の構成については同一の符号を付し、その構成の説明は省略する。
【００５３】
本実施形態の媒体給送装置６１においては、図９に示すように、第１給送ローラー６０及び第２給送ローラー６２が、それぞれのローラーの回転軸６６、回転軸６８が延びる方向、すなわち、装置幅方向（Ｘ軸方向）において１つ設けられている。第１給送ローラー６０と、第２給送ローラー６２及び分離ローラー６４は、媒体載置部２２の装置幅方向の中央部に設けられている。
【００５４】
第１給送ローラー６０の回転軸６６は、付勢部材としての圧縮バネ７２（図１０）により＋Ｚ方向に付勢されて軸受部８０に設けられている。  
第２給送ローラー６２及び分離ローラー６４は、第１給送ローラー６０の変位に連動して、第１給送ローラー６０と同じ方向、すなわち、圧縮バネ７２の付勢力に抗する方向（−Ｚ方向）に変位可能に構成されている。
【００５５】
本実施形態においては、第１給送ローラー６０と第２給送ローラー６２の相対位置を固定する第１固定部７６と、第２給送ローラー６２と分離ローラー６４の相対位置を固定する第２固定部７８とを備えている。このことにより、給送口２０に所定枚数以上の用紙Ｐがセットされ、第１給送ローラー６０が圧縮バネ７２の付勢力に抗して変位したときに、第１給送ローラー６０と第２給送ローラー６２、及び第２給送ローラー６２と分離ローラー６４の相対位置関係が維持される。  
以って、第１給送ローラーが用紙Ｐに接触する位置７４と、第２給送ローラー６２と分離ローラー６４による用紙Ｐのニップ部７０の相対位置が変化することを回避することができ、用紙Ｐの安定した搬送性を維持することができる。
【００５６】
尚、上流側の第１給送ローラー６０の変位に下流側の第２給送ローラー６２が連動して変位する構成は、実施例１の第１給送ローラー２６及び第２給送ローラー２８に対して採用することも可能である。
【００５７】
また、第１給送ローラー２６及び第２給送ローラー２８は、本実施形態のように装置幅方向に１つ設けられている場合や、実施例１のようにそれぞれ装置幅方向に所定の間隔をおいて２つ設けられている場合に限られず、装置幅方向に所定の間隔をおいて３つ以上設けることも可能である。
【００５８】
また、本実施形態では、圧縮バネ７２が、回転軸６６に設けられているが、回転軸６６ではなく、回転軸を可動させるために取り付けられた別の部材を介して取り付けてもよい。
【００５９】
その他、本発明は上記実施形態に限定されることなく、特許請求の範囲に記載した発明の範囲内で種々の変形が可能であり、それらも本発明の範囲内に含まれるものであることは言うまでもない。
【符号の説明】
【００６０】
１０…スキャナー（画像読取装置）、１２…下部ユニット、１４…上部ユニット、
１６…ペーパーサポート、１６ａ…支持面、１８…排紙トレイ、２０…給送口、
２２…媒体載置部、２２ａ…媒体載置面、２４…排出口、２５…媒体給送装置、
２６…第１給送ローラー、２８…第２給送ローラー、３０…分離ローラー、
３２…搬送ローラー対、３２ａ…搬送駆動ローラー、３２ｂ…搬送従動ローラー、
３４…画像読取部、３６…排出ローラー対、３６ａ…排出駆動ローラー、
３６ｂ…排出従動ローラー、３８…上部画像読取センサー、４０…下部画像読取センサー、
４２…回転軸、４４…圧縮バネ、４６…軸受部、４８…駆動源、
５０…ベルト駆動機構、６０…第１給送ローラー、６１…媒体給送装置、
６２…第２給送ローラー、６４…分離ローラー、６６…回転軸、
６８…回転軸、７０…ニップ部、７２…圧縮バネ、
７４…位置、７６…第１固定部、７８…第２固定部、
８０…軸受部、Ｐ…用紙
【図１】
0006635254.tif 000002
【図２】
0006635254.tif 000003
【図３】
0006635254.tif 000004
【図４】
0006635254.tif 000005
【図５】
0006635254.tif 000006
【図６】
0006635254.tif 000007
【図７】
0006635254.tif 000008
【図８】
0006635254.tif 000009
【図９】
0006635254.tif 000010
【図１０】
0006635254.tif 000011